(57)【要約】【課題】  情報の記録再生に先立って、ディスクの傷や汚れを検出し、検出した結果を使用者に通知することで予測可能な記録の失敗を防止する一方、ディスクの汚れを使用者が認知した上での繰り返しの告知を回避し、記録再生を優先させること。【解決手段】  上記課題を解決するため、記録媒体の記録面に付いた傷や汚れを検出する汚れ検出手段と、前記記録媒体の傷や汚れの情報を通知する通知手段と、前記汚れ検出手段の結果に基づいて前記通知手段への出力を決定する判断手段と、を有し、前記汚れ検出手段の検出結果を前記通知手段に出力する場合、第１回目の通知を行ってから以降、前記記録媒体を排出するまでの期間について、第２回目の通知を抑止することを特徴とする情報記録再生装置を提供する。【選択図】  図２
2006179136.tif 000002
【特許請求の範囲】
【請求項１】
記録媒体の記録面に付いた傷や汚れを検出する汚れ検出手段と、
前記記録媒体の傷や汚れの情報を通知する通知手段と、
前記汚れ検出手段の結果に基づいて前記通知手段への出力を決定する判断手段と、を有し、
前記汚れ検出手段の検出結果を前記通知手段に出力する場合、第１回目の通知を行ってから以降、前記記録媒体を排出するまでの期間について、第２回目の通知を抑止することを特徴とする情報記録再生装置。
【請求項２】
請求項１記載の情報記録再生装置において、
第１回目の通知を行ってから以降、前記記録媒体を排出するまでの期間について、前記汚れ検出手段による汚れ検出処理を抑止することを特徴とする情報記録再生装置。
【請求項３】
請求項１または２記載の情報記録再生装置において、
前記汚れ検出手段により検出した結果を蓄える記憶手段を更に有し、
前記汚れ検出手段の検出結果を前記通知手段に出力する場合、第１回目の通知が実行不能あるいは無効となった場合、第１回目の通知を保留し、前記汚れ結果を前記記憶手段に退避しておき、通知が実行可能あるいは有効となった場合に、前記記憶手段に退避した前記汚れ結果に基づいて、第１回目の通知を再度試みることを特徴とする情報記録再生装置。
【請求項４】
請求項１乃至３のいずれかに記載の情報記録再生装置において、
前記記録媒体はレーザ光によるディスク面上の反射率変化により記録および再生を行う光ディスク媒体であることを特徴とする情報記録再生装置。
【発明の詳細な説明】
【技術分野】
【０００１】
本発明は、ディスクの傷や汚れの検出機能を備えた情報記録再生装置におけるディスク汚れ検出時の通知方法に係り、特に、ディスク汚れがユーザにとって既知となった状況において、繰り返しの通知を回避し、記録再生を優先するに好適な技術に関するものである。
【背景技術】
【０００２】
近年、家庭用ディスクレコーダ、ディスクカメラなどに代表される、磁気あるいは光あるいはその複合技術によるディスク記録再生装置の応用製品が、種々登場している。
【０００３】
これらディスクを記録媒体とした製品にとって、ディスクの品質管理は極めて重要な課題であり、ディスクの記録面に傷あるいは指紋などの汚れが付着していていると、高品質な記録再生が行えず、ブロックノイズあるいは記録停止といったトラブルの要因となる。特に家庭用として販売される製品に関しては、汚れたディスクに対する配慮が不可欠となる。
【０００４】
そこで、ディスクの記録面の傷や汚れによるトラブルを回避する技術として、
（１）記録媒体の記録面の傷や汚れの状態を、記録あるいは再生操作に至る前の段階で検出する技術（特許文献１参照）や、（２）記録媒体の記録面に傷や汚れを検出した結果を装置の使用者に通知する、あるいは記録不能することにより、記録失敗を防止する技術（特許文献２参照）などが提案されている。
【０００５】
（１）の例として、特許文献１（特開平６−２０３４６６号公報）に記載のコンパクトディスク再生装置においては、ディスクの再生前にディスクの内周から外周方向に、または外周から内周方向に指定トラック数のトラックジャンプを行い、実際にジャンプしたトラック数と指定したトラック数の違いにより、ディスク上に汚れがあることを検出する技術が提案されている。
【０００６】
（２）の例として、特許文献２（特開平１０−７９１２３号公報）に記載の光ディスク記録装置においては、光ディスク面に付着した指紋、ほこり等を検出した場合、光ディスクに不良があった旨の表示もしくは記録不能である旨の表示もしくはディスククリーニングを促す表示をし、または装置を記録不能な状態に設定し、または前記光ディスクを装置から強制的に排出し、不良が検出されなかった時は不良がなかった旨の表示もしくは記録可能である旨の表示をし、または装置を記録可能な状態に設定するディスク良否判定制御手段を具備した構成とすることにより、記録の失敗を回避する技術が提案されている。
【０００７】
【特許文献１】特開平６−２０３４６６号公報
【特許文献２】特開平１０−７９１２３号公報
【発明の開示】
【発明が解決しようとする課題】
【０００８】
上記した２つの従来技術によれば、記録再生に先立ってディスクの汚れを検出し、使用者にその旨を通知することで、記録再生の失敗を未然に防止することができる。
【０００９】
しかしながら、以下に示す問題があり、記録失敗の回避と記録再生機会の確保を両立させる点については、特段の考慮はされていなかった。即ち、ディスクの汚れ通知、ディスク交換、あるいは清掃といった作業にあたる期間、情報の記録再生が行えない。このことは、家庭用ディスクレコーダ、ディスクカメラなどに代表されるような、リアルタイムに記録することに価値を成す製品においては、とりわけ重要な問題である。
【００１０】
本発明の目的は、情報の記録再生に先立って、ディスクの傷や汚れを検出し、検出した結果を使用者に通知することで予測可能な記録の失敗を防止する一方、ディスクの汚れを使用者が認知した上で行う記録再生については許容し、更には繰り返しの告知を回避する手段を設けることによって、ディスク汚れによる記録失敗の回避と、記録再生機会の確保とを両立させた情報記録再生装置を提供することにある。
【課題を解決するための手段】
【００１１】
上記課題を解決するため、以下の情報記録再生装置を提供する。記録媒体の記録面に付いた傷や汚れを検出する汚れ検出手段と、前記記録媒体の傷や汚れの情報を通知する通知手段と、前記汚れ検出手段の結果に基づいて前記通知手段への出力を決定する判断手段と、を有し、前記汚れ検出手段の検出結果を前記通知手段に出力する場合、第１回目の通知を行ってから以降、前記記録媒体を排出するまでの期間について、第２回目の通知を抑止することを特徴とするものである。
【００１２】
ディスクに汚れがあった場合、使用者は、第１回目の通知によって、ディスクに汚れがあることを認知してディスクを排出し、ディスクの交換、もしくは清掃といった作業を行う。これにより、ディスク汚れによる記録失敗を回避できる。
【００１３】
一方、予備のディスクが無い、直ちに記録再生を実施したい等の理由により、ディスク交換もしくは清掃といった作業が不可能な状況においては記録再生を許容する。この場合の記録再生は、ディスクに汚れがあることを認知した上での使用者の選択であるから、第１回目の通知以降の記録再生操作に関して、少なくともディスクを排出するまでの期間は、使用者へのディスク汚れ通知は省略できる。即ち、第２回目の通知を抑止することで、ディスク汚れ通知を挟むことなく、直ちに記録再生に移行できる。
【００１４】
また、本発明の請求項２に記載の情報記録再生装置は前記汚れ検出手段の検出結果を前記通知手段に出力する場合、第１回目の通知を行ってから以降、前記記録媒体を排出するまでの期間について、第２回目の通知を抑止するとともに、汚れ検出手段による汚れ検出処理を抑止する構成とした。これにより、記録再生指示を受け付けるまでの準備期間を短縮することができる。
【００１５】
また、上記装置の発展形である、本発明の請求項３に記載の情報記録再生装置は、前記汚れ検出手段により検出した結果を蓄える記憶手段を更に有し、前記汚れ検出手段の検出結果を前記通知手段に出力する場合、第１回目の通知が実行不能あるいは無効となった場合、第１回目の通知を保留し、前記汚れ結果を前記記憶手段に退避しておき、通知が実行可能あるいは有効となった場合に、前記記憶手段に退避した前記汚れ結果に基づいて、第１回目の通知を再度試みる構成とした。これにより、装置の全ての動作モードにおいて、使用者にディスク汚れがあることを通知することができる。
【００１６】
情報の記録再生に先立って、ディスクの傷や汚れを検出し、検出した結果を使用者に通知することで予測可能な記録の失敗を防止する一方、ディスクの汚れを使用者が認知した上で行う記録再生については許容し、更には繰り返しの通知を回避する手段を設けることによって、ディスク汚れによる記録失敗の回避と記録再生機会の確保を両立させた情報記録再生装置を提供することができる。
【発明の効果】
【００１７】
本発明により、汚れ検出に関連して使い勝手を向上した情報記録再生装置を提供することができる。
【発明を実施するための最良の形態】
【００１８】
以下、本発明を実施するための最良の形態を、図面を用いて詳細に説明する。図１は、本発明の実施形態に係るカメラ一体型光ディスク記録・再生装置の構成例を示すブロック図である。
【００１９】
まず、電源の構成について説明する。電力の供給は、電源入力端子１８を介して図示しない外部電源により供給され、電源回路１７を介して、カメラ部１００、ドライブ部２００に分配される。
【００２０】
次に、映像の撮像手段と音声電気変換手段の構成について説明する。被写体の映像は、システムコントローラ１６からの命令に従いレンズ位置制御回路１３によって駆動されるレンズユニット７を介して、ＣＣＤ（Ｃｈａｒｇｅ  Ｃｏｕｐｌｅｄ  Ｄｅｖｉｃｅ）等に代表される個体撮像センサ８上に合焦されて電気信号化された後、映像信号処理回路９にて映像信号に変換される。また、音声は集音マイク１によって集音され、音声信号処理回路２にて音声信号に変換される。これら映像信号および音声信号は、圧縮／伸張回路３にて符号化され、ディスクに記録される圧縮情報となる。一方、映像信号は、映像表示／出力回路１０を介して、装置本体にて映像を確認するためのＬＣＤ（Ｌｉｑｕｉｄ  Ｃｒｙｓｔａｌ  Ｄｉｓｐｌａｙ）１２と、外部機器への映像出力端子１１とに出力され、音声信号は、オーディオ出力回路４を介して、装置本体にて音声を確認するためのスピーカー５と、外部機器への音声出力端子６とに出力される。
【００２１】
次に、カメラ部１００で生成した映像音声情報が、ドライブ部２００へ転送されるまでの構成について説明する。圧縮／伸張回路３にて符号化された映像音声情報は、一旦カメラ部１００上のＤ−ＲＡＭ（Ｄｙｎａｍｉｃ  Ｒａｎｄｏｍ  Ａｃｃｅｓｓ  Ｍｅｍｏｒｙ）等に代表されるカメラバッファ１４に記憶され、カメラバッファ１４の情報蓄積量が所定量に達した段階で読み出される。カメラバッファ１４への情報蓄積指令や読み出し制御指令は、システムコントローラ１６によって制御される。読み出された映像音声情報は、カメラ・ドライブインターフェイス回路１９を通じてドライブ部２００の信号処理回路２５に送信される。
【００２２】
次に、ドライブ部２００の記録・再生手段の構成について説明する。上記の通り、カメラ部本体より送信される情報は、カメラ部１００とドライブ部２００の情報交換を行うカメラ・ドライブインターフェイス１９を介して信号処理回路２５に送られ、そのうちの指令情報はドライブコントローラ２８に通知され、記録情報はドライブ部２００のＤ−ＲＡＭ等に代表されるドライブバッファ２９に記憶される。その後、記録指示を受けたドライブコントローラ２８はサーボ制御回路２３に指示して、スピンドルモータ２１によるディスクの回転と、ピックアップ２２内に配置される図示しないレーザダイオードの発光と、図示しないレンズアクチュエータを駆動することによってディスク面へのレーザ光の合焦およびトラッキングとを行い、スライダモータ２４によって記録指示位置へピックアップ２２を移動させ、ディスク２０への記録動作が可能な状態への、メカ制御を行う。ドライブ部２００が記録可能な状態に至ると、ドライブコントローラ２８は信号処理回路２５に指示して、先にドライブバッファ２９に記憶された記録情報をディスク２０の種別に応じた記録フォーマットに準じた情報形式に変換しつつ、順次、記録回路２７に送る。記録回路２７は送られた記録情報に応じてレーザダイオードの発光パワーを可変して記録を行う。
【００２３】
再生時は記録時とは、ほぼ逆の経路を辿る。まず、カメラ・ドライブインターフェイス回路１９を介して再生指令を受けたドライブコントローラ２８は、上記記録動作の場合と同様に、サーボ制御回路２３に指示して、再生したい情報が記録されている位置に対して上記メカ制御動作を行わせる。その結果、ピックアップ２２上に配置される図示しない光電変換素子により、先のレーザパワーの変化に応じて形成された記録情報に応じて反射光の強弱が検出される。この情報を再生回路２６にて増幅ならびに波形等価して信号処理回路２５に送る。信号処理回路２５は、ディスク２０の種別に応じた記録フォーマットの情報形式を解除して再生情報を復元し、ドライブバッファ２９へ記憶する。更に、ドライブコントローラ２８は、信号処理回路２５に指示してドライブバッファ２９に記憶された再生情報を、順次、カメラ・ドライブインターフェイス回路１９を介してカメラ部１００のカメラバッファ１４に送る。カメラ部１００のカメラバッファ１４に送信された再生情報は、圧縮／伸張回路３にて符号化された映像音声情報は伸張され、映像信号および音声信号として復元され、映像信号は映像表示／出力回路１０を介して、装置本体にて映像を確認するためのＬＣＤ１２に出力され、音声信号はオーディオ出力回路４を介して、装置本体にて音声を確認するためのスピーカー５に出力される。
【００２４】
次に、汚れ検出手段の構成について説明する。ディスク２０の記録面の傷や指紋などの汚れは、ドライブ部２００によって記録・再生動作に至る前に検査される。検査の結果はドライブコントローラ２８に集約され、ドライブコントローラ２８は汚れの度合いや現在の装置の動作モードなどを考慮した上で、通知内容、通知要否を決定する。
【００２５】
ドライブコントローラ２８で決定した通知内容、通知要否の情報は、信号処理回路２５とカメラ・ドライブインターフェイス回路１９を介してカメラ部１００のシステムコントローラ１６に伝達される。システムコントローラ１６は、通知の必要があれば、記録再生動作に先立って「汚れ警告」をＬＣＤ１２に表示させる。これにより、使用者はディスク２０に汚れがあることを認知し、システム操作部１５よりディスクの排出を指示して、図示しないイジェクト機構を動作させることにより、装着中のディスク２０を排出し、ディスクの交換、もしくは清掃といった作業を行うことができる。
しかしながら、ディスクの汚れ通知、ディスクの交換、あるいは清掃といった作業に要する期間、情報の記録再生が行えないという問題があり、本実施の形態の情報記録再生装置においては、この問題を解決するため、「汚れ警告」をＬＣＤ１２に表示した後、使用者にとってディスクの交換、もしくは清掃といった作業が可能である場合には、装着中のディスク２０を排出してディスクの交換、もしくは清掃を行うことで、ディスク汚れによる記録再生の失敗を回避し、使用者が直ちに記録再生を実施したい場合には、システム操作部１５による記録あるいは再生指示を受付けして、先の記録・再生手段の経路を辿って記録再生を行う。更に「汚れ警告」をＬＣＤ１２に一度でも表示すれば、装着中のディスク２０を排出するまでの期間、ドライブ部２００の汚れ検出処理およびＬＣＤ１２への「汚れ警告」表示を抑止することで、操作性の向上と、記録再生準備期間の短縮効果を得ている。
【実施例１】
【００２６】
次に本発明における動作シーケンスを図２の処理フローを用いて説明する。尚、ディスク汚れ検出処理および通知処理については記録再生前であれば、どのタイミングで行ってもよく、図２、図３に示す処理フローはその一例である。また、図１と同じ番号を付したものは同一の機能を果たすものとする。
【００２７】
本発明における動作シーケンスについて図２を用いて説明する。まず、ディスクの装着から、ディスクの汚れを検出するまでの動作について説明する。ディスク装着５１し、装置の電源をＯＮ５２すると、光ディスクドライブは最内周から外周に向かって、記録再生を行うためのスタート位置を決定するためヘッドの最内周移動、スピンドル回転、ディスク面へのレーザ光の合焦、トラッキング、サーボ調整等、光ディスクドライブが記録再生を行うための準備プロセスであるローディング５３（以下、単にローディングと記載する）を開始する。ディスク汚れ検出５５は、ローディング完了５７までに実施するが、ディスク汚れ検出５５を実施するか否かの判定は、装置内部の不揮発性メモリ３０に保存されているディスク汚れ検出５５の実施実績を示す情報（以下、汚れ検出実績と記載する）に基づき判定される。装着しているディスクについて、初めてのローディング（第１回目）であれば、不揮発性メモリ３０の汚れ検出実績は「実績なし」となるので、判定処理５４に従ってディスク汚れ検出５５を行い、得られたディスク汚れ検出の結果は、前記汚れ検出実績と併せて、汚れ情報保存５６にて装置内部の不揮発性メモリ３０に保存される。また、第２回目以降のローディングであれば、前回のローディング時の汚れ情報保存５６により「実績あり」となっているので、判定処理５４にて、ディスク汚れ検出５５、およびディスク汚れ情報保存５６が省略される。これにより、ローディング期間の短縮効果を得ている。ここで、汚れ情報保存５６に不揮発性メモリ３０を使用するのは、電源をＯＦＦ６６した以降も、前記汚れ情報を保持しておくためである。上記の手順を経てローディング完了５７すると、光ディスクドライブは、記録再生可能な状態となる。
【００２８】
次に、ディスク汚れ検出後の動作について説明する。ディスク汚れ検出５５の結果が「汚れなし」であった場合は、判定処理５８に従いＬＣＤ１２に記録・再生許可の旨を示す表示６０をし、「汚れあり」の場合は、装置内部の不揮発性メモリ３０に保存されている汚れ警告を行った実績を示す情報（以下、汚れ警告実績と記載する）を基に判定処理５９により、ＬＣＤ１２に記録・再生許可表示６０を行うか、あるいは汚れ警告表示６１を行うかを判定する。
【００２９】
この時、第１回目のローディング完了後であった場合は、一度もディスク汚れ警告を行っていないため、「汚れ警告実績なし」となり、判定５９に従ってＬＣＤ １２に汚れ警告表示６１を行う。汚れ警告表示６１の内容は、単にディスクが汚れていることの報告でもよいし、ディスクの交換およびクリーニングを促す内容でもよいし、装置の使用者にディスクが汚れていることを許容して記録再生を行うか否かの選択を要求する内容でもよい。少なくとも使用者が装着したディスクが汚れていることを認知できればよい。また、汚れ警告表示６１を行った実績を、汚れ警告実績として装置内部の不揮発性メモリ３０に保存する。汚れ警告実績の保存６２に不揮発性メモリ３０を使用するのは、電源ＯＦＦ６６した以降も前記汚れ警告実績を保持しておくためである。汚れ警告表示６１の後、使用者がシステム操作部１５より記録もしくは再生を指示した場合には、直ちに記録再生６４に移行する。また、使用者がシステム操作部１５よりディスク排出を指示した場合には、前記不揮発性メモリ３０に保存された、ディスクの汚れ情報、汚れ検出実績、汚れ警告を全てクリア６７（汚れなし、実績なしで前記不揮発性メモリ３０に再保存）した後、図示しないイジェクト機構によって、ディスク排出６８され、本シーケンスは完了となる。
【００３０】
一方、第２回目以降のローディング完了後の場合は、前回ローディング時の汚れ警告実績保存６２により「汚れ警告実績あり」となっているため、判定処理５９に従い、汚れ警告表示６１は行わず、直ちにＬＣＤ１２に記録・再生許可表示６０を行う。繰り返しの警告を避け、速やかに記録再生６４に移行させることにより、操作性の向上と、記録再生機会の確保を実現している。
【００３１】
以上を総括すると、ＬＣＤ１２に記録・再生許可表示６０を行って、記録再生指示待ちとなるのは、ディスクが汚れていなかった場合と、ディスクは汚れているが、使用者の判断によりディスクの継続使用を許容した場合となる。
【００３２】
次に記録・再生許可後の動作を説明する。ＬＣＤ１２に記録・再生許可表示６０を行った後は、使用者がシステム操作部１５より記録再生の指示を行えば、上記、図１を用いて説明した記録再生動作に従って、記録もしくは再生が実行される。
【００３３】
記録再生終了後、装着されているディスクを交換する場合は、使用者がシステム操作部１５よりディスク排出を指示した後、前記不揮発性メモリ３０に保存された、ディスクの汚れ情報、汚れ検出実績、汚れ警告を全てクリア６７（汚れなし、警告実績なしで前記不揮発性メモリ３０に再保存）した後、図示しないイジェクト機構によって、ディスク排出６８され、本シーケンスは完了となる。
【００３４】
また、装着されているディスクを継続して使用する場合は、使用者がシステム操作部１５より電源ＯＦＦを指示し、装置を非通電の待機状態とする。次回、装置を利用する場合は、使用者がシステム操作部１５により電源ＯＮを指示して、本シーケンスの電源ＯＮ５２からの再実行となる。即ち、第２回目のローディングの開始である。
【実施例２】
【００３５】
次に、本発明における動作シーケンスについて図３を用いて説明する。図３は、ディスク装着７１後、使用者が電源ＯＦＦ操作７２を行った場合に、直ちに電源ＯＦＦとせず、ローディングを完了７６させてから、電源ＯＦＦ７８する光ディスク装置のシーケンス例である。
【００３６】
まず、本シーケンスの特徴について説明する。本シーケンスの特徴は、比較的、時間の制約を受けない電源ＯＦＦの場面において、時間のかかる光ディスクドライブのローディングを完了させてしまう点にある。ローディング完了７６時には、サーボ系調整をはじめとする、装着されているディスクについて最適化された調整パラメータが決定している。この各種調整パラメータを、電源ＯＦＦ７８する前に装置内の不揮発性メモリ３０に保存しておき、次回の電源ＯＮ７９で行うローディング８０時に読み出して再設定８１することにより、各種調整処理を省略した高速なローディング（以下、単に高速ローディングと記載する）が可能となる。これにより、電源ＯＮから記録再生準備が整うまでの待ち時間が短縮できる。しかも、使用者は電源ＯＦＦを指示７２すれば、ローディング完了７６を意識して待つ必要はなく、放っておけば自動的に電源ＯＦＦされるため、使い勝手もよい。しかしながら、本シーケンスにディスク汚れ検出処理を適用する場合、以下に示す問題がある。
【００３７】
次に本シーケンスにディスク汚れ検出処理を適用した場合の問題と、本発明における解決策について説明する。ディスク汚れ検出７４は、電源ＯＦＦ操作を契機に開始するローディング７３が完了するまでの期間に実施される。しかしながら、電源ＯＦＦ操作を契機に開始するローディングには、ディスク汚れ検出の結果が「汚れあり」であっても、汚れ警告表示を行う機会がない。なぜなら、先に述べたように、使用者はローディングの完了を待っておらず、ローディングを行っていることすら、意識していないからである。そこで本発明では、以下に示す（１）（２）の方法で解決している。
【００３８】
（１）電源ＯＦＦ契機での汚れ警告表示を保留し、汚れ検出情報を装置内部の不揮発性メモリ３０に保存しておくことで、電源ＯＦＦ後も当該ディスクに汚れがあることと、一度も汚れ警告表示を行っていないことを記憶しておく。（図３ 記号７５）
（２）汚れ警告表示が可能な契機を待って、当該ディスクの汚れ警告を実施する。（図３ 記号８８）
即ち、電源ＯＦＦ指示７２契機でのローディング７３では、ディスク汚れ検出７４は行うが、汚れ警告を表示できないため、これを保留し、装置内部の不揮発性メモリ３０に当該ディスクに汚れがあることと、一度も汚れ警告表示を行っていないことの情報を保存７５する。ローディング完了７６後、調整パラメータを保存７７し、電源ＯＦＦ７８となれば、一連の電源ＯＦＦシーケンスは終了する。
【００３９】
次回、装置を利用する場合は、使用者のシステム操作部１５による電源ＯＮ指示により、装置に通電（電源ＯＮ７９）されるとともに、高速ローディングが開始８０する。メカ制御と各種調整処理を省略するためのパラメータ再設定８１等の記録再生に必要な処理を経て、高速ローディングは完了８２する。ここで、前記不揮発性メモリ３０に保存されている、ディスク汚れ情報の結果が「汚れなし」であった場合は、ＬＣＤ １２に記録・再生許可の旨を示す表示８４をし、「汚れあり」であった場合は、ＬＣＤ１２に警告表示８８を行う。警告表示８８の内容は、単にディスクが汚れていることの報告でもよいし、ディスクの交換およびクリーニングを促す内容でもよいし、装置の使用者にディスクが汚れていることを許容して記録再生を行うか否かの選択を要求する内容でもよい。この表示により、使用者は装着したディスクが汚れていることを認知する。続いて、装着されているディスクの交換、あるいは清掃を行う場合は、使用者がシステム操作部１５よりディスク排出指示した後、装置内部の不揮発性メモリ３０に保存された、ディスクの汚れ情報をクリア（汚れなし、警告実績なしで前記不揮発性メモリ３０に再保存）した後、図示しないイジェクト機構によって、ディスク排出９１され、本シーケンスは完了となる。
【００４０】
また、使用者が、ディスクが汚れていることを許容し、システム操作部１５より記録再生の指示を行えば、「汚れなし」の場合と同様、上記、図１を用いて説明した記録再生動作に従って、記録もしくは再生が実行される。更に記録再生終了後、装着されているディスクを交換するのであれば、使用者がシステム操作部１５よりディスク排出指示した後、装置内部の不揮発性メモリ３０に保存された、ディスクの汚れ情報をクリア（汚れなし、警告実績なしで前記不揮発性メモリ３０に再保存）した後、図示しないイジェクト機構によって、ディスク排出９１され、本シーケンスは完了となる。
【００４１】
また、装着されているディスクを継続して使用する場合は、使用者がシステム操作部１５より電源ＯＦＦを指示し、装置を非通電の待機状態とする。次回、装置を利用する場合は、使用者がシステム操作部１５により電源ＯＮを指示して本シーケンスの電源ＯＮ７９からの再実行となる。即ち、第２回目の高速ローディングの開始である。
【００４２】
以上に述べた実施例１、実施例２の実施形態では、光ディスクドライブを例に挙げて説明したが、本発明の適用は、磁気ディスクドライブであってもよく、記録媒体の如何は問わない。
【図面の簡単な説明】
【００４３】
【図１】本発明の実施形態に係るカメラ一体型光ディスク記録・再生装置の構成を示すブロック図である
【図２】本発明の実施例１のシーケンス図
【図３】本発明の実施例２のシーケンス図
【符号の説明】
【００４４】
１…集音マイク、２…音声信号処理回路、３…圧縮／伸張回路、４…オーディオ出力回路、５…スピーカー、６…外部音声出力端子、７…レンズユニット、８…固体撮像センサ（ＣＣＤ）、９…映像信号処理回路、１０…映像表示／出力回路、１１…外部映像出力端子、１２…ＬＣＤ、１３…レンズ位置制御回路、１４…カメラバッファ、１５…システム操作部、１６…システムコントローラ、１７…電源回路、１８…外部電源入力端子、１９…カメラ・ドライブインターフェイス回路、２０…記録媒体（光ディスク）、２１…スピンドルモータ、２２…ピックアップ、２３…サーボ制御回路、２４…スライダモータ、２５…信号処理回路、２６…再生回路、２７…記録回路、２８…ドライブコントローラ、２９…ドライブバッファ、３０…不揮発性メモリ、１００…カメラ部、２００…ドライブ部（光ディスクドライブ部）
【図１】
2006179136.tif 000003
【図２】
2006179136.tif 000004
【図３】
2006179136.tif 000005